(57)【特許請求の範囲】
【請求項１】
第１のデータ記憶回路を具備する携帯端末装置と、第２のデータ記憶回路を具備し、前記携帯端末装置を充電するための充電器と、第３のデータ記憶回路を具備するコンピュータ装置とを有し、前記携帯端末装置を前記充電器にて充電する際に、前記第１のデータ記憶回路に記憶されたデータを前記第２のデータ記憶回路に記憶し、該第２のデータ記憶回路に記憶されたデータを前記コンピュータ装置に送信して前記第３のデータ記憶回路に記憶するデータバックアップシステムにおいて、
前記充電器と前記コンピュータ装置とは電力線を介して接続され、
前記充電器は、前記携帯端末装置から送信されてきたデータを、電力搬送に使われている電気信号に重畳して送信し、
前記電力線を介して送信されてきた電気信号から前記データを取り出し、該データを前記コンピュータ装置に送信するアダプタを有し、
前記充電器は、前記第２のデータ記憶回路へのデータの記憶が完了した際、当該データを送信することを特徴とするデータバックアップシステム。
【請求項２】
請求項１に記載のデータバックアップシステムにおいて、
前記充電器は、前記携帯端末装置から送信されてきたデータと前記第２のデータ記憶回路に記憶されているデータとを比較し、両者の差分データのみを前記第２のデータ記憶回路に記憶するデータバックアップシステム。
【請求項３】
請求項１または請求項２に記載のデータバックアップシステムにおいて、
前記充電器は、外部記憶媒体が着脱可能に構成され、前記外部記憶媒体が装着されている場合、前記携帯端末装置から送信されてきたデータを前記外部記憶媒体に記憶するデータバックアップシステム。
【請求項４】
請求項１乃至３のいずれか１項に記載のデータバックアップシステムにおいて、
前記充電器は、認証コードを用いて認証を行い、認証結果が成功であった場合に、前記携帯端末装置からのデータの送信を受け付けるデータバックアップシステム。
【請求項５】
請求項１乃至４のいずれか１項に記載のデータバックアップシステムにおいて、
前記コンピュータ装置は、前記第３のデータ記憶回路に記憶されたデータを送信し、
前記アダプタは、前記コンピュータ装置から送信されてきた前記データを、電力搬送に使われている電気信号に重畳して前記充電器に送信し、
前記充電器は、前記電力線を介して送信されてきた電気信号から前記データを取り出し、該データを前記携帯端末装置に送信し、
前記携帯端末装置は、前記充電器から送信されてきたデータを前記第１のデータ記憶回路に記憶するデータバックアップシステム。
【請求項６】
請求項１乃至５のいずれか１項に記載のデータバックアップシステムにおいて、
前記充電器は、認証コードを用いて認証を行い、認証結果が成功であった場合に、前記コンピュータ装置からのデータの送信を受け付けるデータバックアップシステム。
【請求項７】
第１のデータ記憶回路を具備する携帯端末装置と、第２のデータ記憶回路を具備し、前記携帯端末装置を充電するための充電器と、第３のデータ記憶回路を具備するコンピュータ装置とを有し、前記携帯端末装置を前記充電器にて充電する際に、前記第１のデータ記憶回路に記憶されたデータを前記第２のデータ記憶回路に記憶し、該第２のデータ記憶回路に記憶されたデータを前記コンピュータ装置に送信して前記第３のデータ記憶回路に記憶するデータバックアップ方法において、
前記充電器と前記コンピュータ装置とが電力線を介して接続され、
前記携帯端末装置から前記充電器に送信されてきたデータを、電力搬送に使われている電気信号に重畳して送信する処理と、
前記電力線を介して送信されてきた電気信号から前記データを取り出し、該データを前記コンピュータ装置に送信する処理とを有し、
前記第２のデータ記憶回路へのデータの記憶が完了した際、当該データを前記充電器から前記コンピュータ装置に送信することを特徴とするデータバックアップ方法。
【請求項８】
請求項７に記載のデータバックアップ方法において、
前記携帯端末装置から送信されてきたデータと前記第２のデータ記憶回路に記憶されているデータとを比較し、両者の差分データのみを前記第２のデータ記憶回路に記憶するデータバックアップ方法。
【請求項９】
請求項７または請求項８に記載のデータバックアップ方法において、
前記充電器に、外部記憶媒体が装着されている場合、前記携帯端末装置から送信されてきたデータを前記外部記憶媒体に記憶するデータバックアップ方法。
【請求項１０】
請求項７乃至９のいずれか１項に記載のデータバックアップ方法において、
認証コードを用いて認証を行い、認証結果が成功であった場合に、前記携帯端末装置からのデータの送信を前記充電器にて受け付けるデータバックアップ方法。
【請求項１１】
請求項７乃至１０のいずれか１項に記載のデータバックアップ方法において、
前記第３のデータ記憶回路に記憶されたデータを前記コンピュータ装置から送信する処理と、
前記コンピュータ装置から送信されてきた前記データを、電力搬送に使われている電気信号に重畳して前記充電器に送信する処理と、
前記電力線を介して送信されてきた電気信号から前記データを取り出し、該データを前記携帯端末装置に送信する処理と、
前記充電器から送信されてきたデータを前記第１のデータ記憶回路に記憶する処理とを有するデータバックアップ方法。
【請求項１２】
請求項７乃至１１のいずれか１項に記載のデータバックアップ方法において、
認証コードを用いて認証を行い、認証結果が成功であった場合に、前記コンピュータ装置からのデータの送信を前記充電器にて受け付けるデータバックアップ方法。
【発明の詳細な説明】
【技術分野】
【０００１】
本発明は、携帯端末装置に記憶されたデータをバックアップするデータバックアップシステム及びデータバックアップ方法に関する。
【背景技術】
【０００２】
昨今、携帯電話機をはじめとした携帯端末装置は、その利便性から急速に普及している。特に携帯電話機に関しては、一人一台持つことが主流となっている。その普及に伴い、携帯電話機が扱うデータの種類は、電話帳データだけではなく、画像データ、動画データ、音楽データ、ゲームデータ等、多様化、大容量化してきている。
【０００３】
このような携帯電話機においては、紛失したり、携帯電話機に記憶しておいたデータが何等かの原因で失われたりした場合、データを復活することが不可能となり、極めて不便であるため、データのバックアップの必要性は高まっている。
【０００４】
携帯電話機に記憶されたデータのバックアップ方法としては、携帯電話機をコンピュータ装置に接続し、携帯電話機に記憶されたデータをコンピュータ装置に読み込ませて記憶する方法が、コンピュータ装置を利用できる技能を有する人々の間では実際に活用されている。
【０００５】
しかしながら、この方法を実行するに際しては、データをコンピュータ装置にバックアップするための専用のアプリケーションソフトウェアをコンピュータ装置にインストールし、かつ支障なく利用できるに足る技能が、利用者側に必要になる。上述したように携帯端末装置、特に携帯電話機の普及率は、非常に高くなっており、携帯電話機を所有する全ての利用者が、パーソナルコピュータ装置を支障なく利用できるとは限らない。また、コンピュータ装置にバックアップするための専用のアプリケーションソフトウェアを購入するための費用も発生してしまう。
【０００６】
そこで、携帯端末装置の所有者が、必ず使用し、かつ使用頻度の高い携帯端末装置の充電器を利用したデータバックアップ方法が提案されている（例えば、特許文献１〜３参照）。
【０００７】
この技術では、携帯端末装置を充電するために携帯端末装置が充電器にセットされるだけで、充電と同時に携帯端末装置に記憶されているデータが、充電器に内蔵された記憶装置に記憶される。また、この記憶装置は、充電器に固定的に内蔵されたものに限らず、充電器に専用のスロットを設けることにより、持ち運びや別の場所での保存が可能な、メモリーカード等の外部記憶媒体も利用することができる。
【０００８】
さらに、充電器に接続されたコンピュータ装置に、携帯端末装置に記憶されているデータをバックアップする方法も考えられている。この方法では上述したようなバックアップ専用のアプリケーションソフトをコンピュータ装置にインストールする必要がなく、それにより利用者の負担が軽減されている。
【特許文献１】特開２００１−２０２２９２
【特許文献２】特開２００５−２６０４６１
【特許文献３】特開２００６−２１１００８
【発明の開示】
【発明が解決しようとする課題】
【０００９】
上述したようにコンピュータ装置で携帯端末装置に記憶されているデータのバックアップを取る場合には、携帯端末装置とコンピュータ装置との間に何らかの通信手段を別途準備する必要がある。ところが、そのような通信手段においては、携帯端末装置の利用者全員が、準備をする技能を身につけなければならないという問題点がある。
【００１０】
また、コンピュータ装置でのバックアップをし忘れた場合に、充電器内蔵の記憶装置やメモリーカード等の外部記憶媒体に記憶されたバックアップデータが破損してバックアップデータにアクセスできなくなっていると、携帯端末装置に記憶されているデータの復旧が不可能となってしまうという問題点がある。
【００１１】
本発明は、携帯端末装置に記憶されたデータをバックアップするデータバックアップシステム及びデータバックアップ方法において、携帯端末装置の利用者に特別な手間や技能を求めることなく、携帯端末装置に記憶されたデータを多重的にバックアップすることができる、データバックアップシステム及びデータバックアップ方法を提供することを目的とする。
【課題を解決するための手段】
【００１２】
上記目的を達成するために本発明は、
第１のデータ記憶回路を具備する携帯端末装置と、第２のデータ記憶回路を具備し、前記携帯端末装置を充電するための充電器と、第３のデータ記憶回路を具備するコンピュータ装置とを有し、前記携帯端末装置を前記充電器にて充電する際に、前記第１のデータ記憶回路に記憶されたデータを前記第２のデータ記憶回路に記憶し、該第２のデータ記憶回路に記憶されたデータを前記コンピュータ装置に送信して前記第３のデータ記憶回路に記憶するデータバックアップシステムにおいて、
前記充電器と前記コンピュータ装置とは電力線を介して接続され、
前記充電器は、前記携帯端末装置から送信されてきたデータを、電力搬送に使われている電気信号に重畳して送信し、
前記電力線を介して送信されてきた電気信号から前記データを取り出し、該データを前記コンピュータ装置に送信するアダプタを有することを特徴とする。
【００１３】
また、第１のデータ記憶回路を具備する携帯端末装置と、第２のデータ記憶回路を具備し、前記携帯端末装置を充電するための充電器と、第３のデータ記憶回路を具備するコンピュータ装置とを有し、前記携帯端末装置を前記充電器にて充電する際に、前記第１のデータ記憶回路に記憶されたデータを前記第２のデータ記憶回路に記憶し、該第２のデータ記憶回路に記憶されたデータを前記コンピュータ装置に送信して前記第３のデータ記憶回路に記憶するデータバックアップ方法において、
前記充電器と前記コンピュータ装置とが電力線を介して接続され、
前記携帯端末装置から前記充電器に送信されてきたデータを、電力搬送に使われている電気信号に重畳して送信する処理と、
前記電力線を介して送信されてきた電気信号から前記データを取り出し、該データを前記コンピュータ装置に送信する処理とを有することを特徴とする。
【発明の効果】
【００１４】
本発明は以上説明したように構成されているので、携帯端末装置とコンピュータ装置との間に通信手段を準備する技能を身につける必要がない。
【００１５】
また、携帯端末装置に記憶されているデータの復旧が不可能となることを回避できる。
【発明を実施するための最良の形態】
【００１６】
以下に、本発明の実施の形態について図面を参照して説明する。
【００１７】
図１は、本発明のデータバックアップシステムの実施の一形態を示すブロック図である。
【００１８】
図２は、図１に示したデータバックアップシステムにおける、通信方法である電力線通信の概略を示す図である。
【００１９】
本形態のデータバックアップシステムは図１及び図２に示すように、携帯端末装置１０と、外部記憶媒体３０と、外部記憶媒体３０を着脱可能に構成され、携帯端末装置１０に対して充電を行う充電器２０と、アダプタであるＰＬＣアダプタ４０と、コンピュータ装置５０とから構成されている。充電器２０とＰＬＣアダプタ４０とは、充電器２０及びＰＬＣアダプタ４０の電源ケーブル６０，６４と、電源ケーブル６０，６４を介して充電器２０及びＰＬＣアダプタ４０に電力を供給するコンセント６１，６３と、コンセント６１，６３に電力を供給する電力線６２及び電力を各コンセントに分配する分電盤６５とを介して接続されている。
【００２０】
携帯端末装置１０は、第１のデータ記憶回路である記憶部１１と、蓄電池部１２と、ＩＦ部１３と、制御部１４と、表示部１５と、入力部１６とを備えている。
【００２１】
記憶部１１は、携帯端末装置１０の使用者が登録した電話帳データ、画像データ、動画データ等を記憶している。
【００２２】
蓄電池部１２は、充電用蓄電池（不図示）を有し、充電器２０より供給される充電用電源を使用して充電用蓄電池を充電する。
【００２３】
ＩＦ部１３は、充電器２０とのデータ及び制御データの送受信を行う。
【００２４】
制御部１４は、充電器２０から充電開始通知を受けると、記憶部１１に記憶されているデータを、ＩＦ部１３を介して充電器２０へ送信する。
【００２５】
表示部１５は、携帯端末装置１０の使用者に対して数値、文字、画像等を出力する。
【００２６】
入力部１６は、携帯端末装置１０の使用者により、数値や文字が入力される。入力された数値や文字は、制御部１４で認識されて各種処理が実行される。
【００２７】
充電器２０は、ＡＣ／ＤＣ電源部２１と、充電回路部２２と、第２のデータ記憶回路である記憶部２３と、ＩＦ部２４と、制御部２５と、ＰＬＣ／ＩＦ部２６と、メモリＩＦ部２７とを備えている。
【００２８】
ＡＣ／ＤＣ電源部２１は、コンセント６１から供給される交流電力を直流電力に変換し、充電回路部２２に供給する。
【００２９】
充電回路部２２は、ＡＣ／ＤＣ電源部２１から供給される直流電力から、携帯端末装置１０を充電するために必要な充電用の電源を生成する。また、携帯端末装置１０と充電器２０との接続を監視しており、携帯端末装置１０と充電器２０とが接続された場合、携帯端末装置１０に対して充電用の電源を出力するとともに、充電が開始されたことを制御部２５へ通知する。
【００３０】
記憶部２３は、携帯端末装置１０から送信されてきた携帯端末装置１０のバックアップデータを記憶する。また、コンピュータ装置５０に記憶された携帯端末装置１０のバックアップデータを携帯端末装置１０へリストアする際に、コンピュータ装置５０から送信されてきた携帯端末装置１０のバックアップデータを記憶する。
【００３１】
ＩＦ部２４は、携帯端末装置１０とのデータ及び制御データの送受信を行う。
【００３２】
制御部２５は、充電回路部２２から携帯端末装置１０への充電開始通知を受けると、携帯端末装置１０に対して、その旨を通知する。また、携帯端末装置１０に記憶されているデータが携帯端末装置１０のバックアップデータとして記憶部２３に記憶されたことを検知すると、その携帯端末装置１０のバックアップデータを、メモリＩＦ部２７を介して外部記憶媒体３０に転送する。また、コンピュータ装置５０に対して、記憶部２３に記憶された携帯端末装置１０のバックアップデータを転送する旨を通知し、そのデータをＰＬＣ／ＩＦ部２６を介して転送する。さらに、コンピュータ装置５０に記憶された携帯端末装置１０のバックアップデータを携帯端末装置１０へリストアする際に、コンピュータ装置５０から送信されてきた携帯端末装置１０のバックアップデータが記憶部２３に記憶されたことを検知すると、その携帯端末装置１０のバックアップデータを、ＩＦ部２４を介して携帯端末装置１０に送信する。
【００３３】
ＰＬＣ／ＩＦ部２６は、携帯端末装置１０に記憶されたデータをコンピュータ装置５０にバックアップするために、記憶部２３または外部記憶装置３０に記憶された携帯端末装置１０のバックアップデータがＰＬＣアダプタ４０へ送信される際に、携帯端末装置１０のバックアップデータや制御データを変調し、その変調された電気信号を電力搬送に使われている電気信号に重畳する。そして、その重畳された電気信号を電源ケーブル６０，６４、コンセント６１，６３及び電力線６２を介した通信によってＰＬＣアダプタ４０へ送信する。また、コンピュータ装置５０に記憶されている携帯端末装置１０のバックアップデータを携帯端末装置１０にリストアする際に、コンピュータ装置５０から、電源ケーブル６０，６４、コンセント６１，６３、電力線６２及び分電盤６５を介した通信によって送信されてきた携帯端末装置１０のバックアップデータや制御データを含んでいる重畳された電気信号から、携帯端末装置１０のバックアップデータ部分や制御データ部分を取り出して復調し、充電器２０内の各部に送信する。
【００３４】
メモリＩＦ部２７は、外部記憶媒体３０とのデータ及び制御データの送受信を行う。
【００３５】
外部記憶媒体３０は、記憶部３１を備えており、充電器２０のメモリＩＦ部２７に装着されることにより、充電器２０から転送される携帯端末装置１０のバックアップデータを記憶部３１に記憶する。
【００３６】
ＰＬＣアダプタ４０は、ＰＬＣ／ＩＦ部４１と、ＡＣ／ＤＣ電源部４２と、ＰＣ／ＩＦ部４３とを備えている。
【００３７】
ＰＬＣ／ＩＦ部４１は、携帯端末装置１０に記憶されたデータをコンピュータ装置５０にバックアップするために充電器２０から電源ケーブル６０，６４、コンセント６１，６２及び電力線２０を介した通信によって送信されてきた携帯端末装置１０のバックアップデータや制御データを含んでいる重畳された電気信号から、携帯端末装置１０のバックアップデータ部分や制御データ部分を取り出して復調し、ＰＣ／ＩＦ部４３に送信する。また、コンピュータ装置５０に記憶されている携帯端末装置１０のバックアップデータを携帯端末装置１０にリストアする際に、コンピュータ装置５０からＰＣ／ＩＦ部４３を介して受信した携帯端末装置１０のバックアップデータ及び制御データを変調し、その変調された電気信号を電力搬送に使われている電気信号に重畳する。そして、その重畳された電気信号を電源ケーブル６０，６４、コンセント６１，６３、電力線６２及び分電盤６５を介した通信によって充電器２０へ送信する。
【００３８】
ＡＣ／ＤＣ電源部４２は、コンセント６２から供給される交流電力を直流電力に変換する。
【００３９】
ＰＣ／ＩＦ部４３は、コンピュータ装置５０とのデータ及び制御データの送受信を行う。
【００４０】
コンピュータ装置５０は、第３のデータ記憶回路である記憶部５１と、制御部５２と、ＰＣ／ＩＦ部５３とを備えている。
【００４１】
記憶部５１は、充電器２０から転送されてきた携帯端末装置１０のバックアップデータを記憶する。
【００４２】
制御部５２は、携帯端末装置１０のバックアップデータの転送通知を充電器２０から受け、転送されてきた携帯端末装置１０のバックアップデータを記憶部５１に記憶する。また、携帯端末装置１０のバックアップデータの送信要求通知を充電器２０から受けると、記憶部５１に記憶されている携帯端末装置１０のバックアップデータを充電器２０に送信する。
【００４３】
ＰＣ／ＩＦ部５３は、ＰＬＣアダプタ４０とのデータ及び制御データの送受信を行う。
【００４４】
以下に、上記のように構成されたデータバックアップシステムにおいて、携帯端末装置１０の記憶部１１に記憶されたデータをバックアップする場合の動作について説明する。
【００４５】
まず、携帯端末装置１０に記憶されたデータを、充電器２０及びコンピュータ装置５０にバックアップする場合の動作について説明する。
【００４６】
図３は、図１及び図２に示したデータバックアップシステムにおけるデータバックアップ方法の一例を説明するためのフローチャートである。
【００４７】
充電器２０の充電回路部２２は、携帯端末装置１０が充電器２０に接続されたことを検知すると（ステップ１）、携帯端末装置１０の充電を開始する（ステップ２）。
【００４８】
充電回路部２２は、携帯端末装置１０への充電開始とともに、制御部２５に対して、充電を開始したことを通知し、通知を受けた制御部２５は、携帯端末装置１０の制御部１４に対して、充電が開始されたことを通知する（ステップ３）。
【００４９】
携帯端末装置１０の制御部１４は、充電器２０の制御部２５から充電開始の通知を受けると、データのバックアップをするのか、リストアをするのかの判断を使用者に確認するために、表示部１５に選択画面を表示する。そして、データのバックアップが入力部１６にて選択されると（ステップ４）、制御部１４は、記憶部１１に記憶されているデータをＩＦ部１３を介して充電器２０へ送信する（ステップ５）。
【００５０】
充電器２０は、携帯端末装置１０から送信されてきたデータをＩＦ部２４を介して受信し、充電器２０の記憶部２３が、ＩＦ部２４を介して受信されたデータを記憶する（ステップ６）。
【００５１】
充電器２０の制御部２５は、携帯端末装置１０の記憶部１１に記憶されていたデータが記憶部２３に記憶されたことを検知すると（ステップ７）、コンピュータ装置５０の制御部５２に対して、充電器２０から携帯端末装置１０のバックアップデータを転送する旨を通知し、記憶部２３に記憶された携帯端末装置１０のバックアップデータをＰＬＣ／ＩＦ部２６に送信する（ステップ８）。
【００５２】
充電器２０のＰＬＣ／ＩＦ部２６は、記憶部２３から送信されてきた携帯端末装置１０のバックアップデータを変調し、その変調された電気信号を電力搬送に使われている電気信号に重畳する（ステップ９）。そして、電源ケーブル６０，６４、コンセント６１，６３、電力線６２及び分電盤６５を介してその重畳された電気信号が、ＰＬＣアダプタ４０に送信される。（ステップ１０）。
【００５３】
ＰＬＣアダプタ４０のＰＬＣ／ＩＦ部４１は、充電器２０から送信されてきた携帯端末装置１０のバックアップデータを含んでいる重畳された電気信号から、携帯端末装置１０のバックアップデータ部分のみを取り出し、復調する（ステップ１１）。復調されたデータは、ＰＣ／ＩＦ部４３を介してコンピュータ装置５０へ送信される（ステップ１２）。
【００５４】
コンピュータ装置５０は、ＰＬＣアダプタ４０から送信されてきたデータをＰＣ／ＩＦ部５３を介して受信し、コンピュータ装置５０の記憶部５１が、ＰＣ／ＩＦ部５３を介して受信されたデータを記憶する（ステップ１３）。
【００５５】
次に、携帯端末装置１０に記憶されたデータを、充電器２０、外部記憶媒体３０及びコンピュータ装置５０にバックアップする場合の動作について説明する。
【００５６】
図４は、図１及び図２に示したデータバックアップシステムにおけるデータバックアップ方法の他の例を説明するためのフローチャートである。
【００５７】
充電器２０の充電回路部２２は、携帯端末装置１０が充電器２０に接続されたことを検知すると（ステップ２１）、携帯端末装置１０の充電を開始する（ステップ２２）。
【００５８】
充電回路部２２は、携帯端末装置１０への充電開始とともに、制御部２５に対して、充電を開始したことを通知し、通知を受けた制御部２５は、携帯端末装置１０の制御部１４に対して、充電開始されたことを通知する（ステップ２３）。
【００５９】
携帯端末装置１０の制御部１４は、充電器２０の制御部２５から充電開始の通知を受けると、データのバックアップをするのか、リストアをするのかの判断を使用者に確認するために、表示部１５に選択画面を表示する。そして、データのバックアップが入力部１６にて選択されると（ステップ２４）、制御部１４は、記憶部１１に記憶されているデータをＩＦ部１３を介して充電器２０へ送信する（ステップ２５）。
【００６０】
充電器２０は、携帯端末装置１０から送信されてきたデータをＩＦ部２４を介して受信し、充電器２０の記憶部２３が、ＩＦ部２４を介して受信されたデータを記憶する。（ステップ２６）。
【００６１】
充電器２０の制御部２５は、携帯端末装置１０の記憶部１１に記憶されていたデータが記憶部２３に記憶されたことを検知すると（ステップ２７）、メモリＩＦ部２７に対して、外部記憶媒体３０が充電器２０に装着されているかどうかを確認する（ステップ２８）。
【００６２】
外部記憶媒体３０が充電器２０に装着されている場合、制御部２５は、記憶部２３に記憶された携帯端末装置１０のバックアップデータを、メモリＩＦ部２７を介して転送し（ステップ２９）、外部記憶装置３０の記憶部３１が、転送された携帯端末装置１０のバックアップデータを記憶する。
【００６３】
その後、充電器２０の制御部２５は、コンピュータ装置５０の制御部５２に対して、充電器２０から携帯端末装置１０のバックアップデータを転送する旨を通知し、記憶部２３に記憶された携帯端末装置１０のバックアップデータをＰＬＣ／ＩＦ部２６に送信する（ステップ３０）。
【００６４】
一方、外部記憶媒体３０が充電器２０に装着されていない場合は、制御部２５は、メモリＩＦ２７へ携帯端末装置１０のバックアップデータを転送せずに、ステップ３０における処理に移行し、コンピュータ装置５０の制御部５２に対して、充電器２０から携帯端末装置１０のバックアップデータを送信する旨を通知し、記憶部２３に記憶された携帯端末装置１０のバックアップデータをＰＬＣ／ＩＦ部２６に送信する。
【００６５】
充電器２０のＰＬＣ／ＩＦ部２６は、記憶部２３から送信されてきた携帯端末装置１０のバックアップデータを変調し、その変調された電気信号を電力搬送に使われている電気信号に重畳する（ステップ３１）。そして、電源ケーブル６０，６４、コンセント６１，６３、電力線６２及び分電盤６５を介してその重畳された電気信号が、ＰＬＣアダプタ４０に送信される。（ステップ３２）。
【００６６】
ＰＬＣアダプタ４０のＰＬＣ／ＩＦ部４１は、充電器２０から送信されてきた携帯端末装置１０のバックアップデータを含んでいる重畳された電気信号から、携帯端末装置１０のバックアップデータ部分のみを取り出し、復調する（ステップ３３）。復調されたデータは、ＰＣ／ＩＦ部４３を介してコンピュータ装置５０へ送信される（ステップ３４）。
【００６７】
コンピュータ装置５０は、ＰＬＣアダプタ４０から送信されてきたデータをＰＣ／ＩＦ部５３を介して受信し、コンピュータ装置５０の記憶部５１が、ＰＣ／ＩＦ部５３を介して受信された携帯端末装置１０のバックアップデータを記憶する（ステップ３５）。
【００６８】
次に、携帯端末装置１０に記憶されたデータを充電器２０にバックアップした後、携帯端末装置１０と充電器２０との接続が解除された際に、コンピュータ装置５０に携帯端末装置１０に記憶されたデータをバックアップする場合の動作について説明する。
【００６９】
図５は、図１及び図２に示したデータバックアップシステムにおけるデータバックアップ方法の他の例を説明するためのフローチャートである。
【００７０】
充電器２０の充電回路部２２は、携帯端末装置１０が充電器２０に装着されたことを検知すると（ステップ４１）、携帯端末装置１０の充電を開始する（ステップ４２）。
【００７１】
充電回路部２２は、携帯端末装置１０への充電開始とともに、制御部２５に対して、充電を開始したことを通知し、通知を受けた制御部２５は、携帯端末装置１０の制御部１４に対して、充電開始されたことを通知する（ステップ４３）。
【００７２】
携帯端末装置１０の制御部１４は、充電器２０の制御部２５から充電開始の通知を受けると、データのバックアップをするのか、リストアをするのかの判断を使用者に確認するために、表示部１５に選択画面を表示する。そして、データのバックアップが入力部１６にて選択されると（ステップ４４）、制御部１４は、記憶部１１に記憶されているデータをＩＦ部１３を介して、充電器２０へ送信する（ステップ４５）。
【００７３】
充電器２０は、携帯端末装置１０から送信されてきたデータをＩＦ部２４を介して受信し、充電器２０の記憶部２３が、ＩＦ部２４を介して受信されたデータを記憶する。（ステップ４６）。
【００７４】
充電器２０の制御部２５は、携帯端末装置１０の記憶部１１に記憶されていたデータが記憶部２３に記憶されたことを検知する（ステップ４７）。
【００７５】
その後、充電器２０の充電回路部２２は、携帯端末装置１０との接続が解除されたことを検知すると（ステップ４８）、制御部２５に対して、その旨を通知する（ステップ４９）。
【００７６】
通知を受けた制御部２５は、コンピュータ装置５０の制御部５２に対して、充電器２０から携帯端末装置１０のバックアップデータを送信する旨を通知し、記憶部２３に記憶された携帯端末装置１０のバックアップデータをＰＬＣ／ＩＦ部２６に送信する（ステップ５０）。
【００７７】
充電器２０のＰＬＣ／ＩＦ部２６は、記憶部２３から送信されてきた携帯端末装置１０のバックアップデータを変調し、その変調された電気信号を電力搬送に使われている電気信号に重畳する（ステップ５１）。そして、電源ケーブル６０，６４、コンセント６１，６３、電力線６２及び分電盤６５を介してその重畳された電気信号が、ＰＬＣアダプタ４０に送信される。（ステップ５２）。
【００７８】
ＰＬＣアダプタ４０のＰＬＣ／ＩＦ部４１は、充電器２０から送信されてきた携帯端末装置１０のバックアップデータを含んでいる重畳された電気信号から、携帯端末装置１０のバックアップデータ部分のみを取り出し、復調する（ステップ５３）。復調されたデータは、ＰＣ／ＩＦ部４３を介してコンピュータ装置５０へ送信される（ステップ５４）。
【００７９】
コンピュータ装置５０は、ＰＬＣアダプタ４０から送信されてきたデータをＰＣ／ＩＦ部５３を介して受信し、コンピュータ装置５０の記憶部５１が、ＰＣ／ＩＦ部５３を介して受信された携帯端末装置１０のバックアップデータを記憶する（ステップ５５）。
【００８０】
次に、携帯端末装置１０に記憶されたデータを、使用者の認証を行った上で、充電器２０、及びコンピュータ装置５０にバックアップする場合の動作について説明する。
【００８１】
図６は、図１及び図２に示したデータバックアップシステムにおけるデータバックアップ方法の他の例を説明するためのフローチャートである。
【００８２】
充電器２０の充電回路部２２は、携帯端末装置１０が充電器２０に接続されたことを検知すると（ステップ６１）、携帯端末装置１０の充電を開始する（ステップ６２）。
【００８３】
充電回路部２２は、携帯端末装置１０への充電開始とともに、制御部２５に対して、充電を開始したことを通知する。
【００８４】
制御部２５は、充電回路部２２から充電開始の通知を受けると、使用者の認証を行うために、携帯端末装置１０の制御部１４に対して、認証コードの送信を要求する（ステップ６３）。そして、個人を識別するために予め決められた情報が、使用者によって携帯端末装置１０に入力部１６を介して入力されると（ステップ６４）、その情報に基づいて認証コードが生成され、ＩＦ部１３を介して充電器２０に送信される。充電器２０の制御部２５は、予め記憶部２３に記憶してある使用者の認証コードと、ＩＦ部１３を介して送信されてきた認証コードとを比較して正規の使用者かどうか判定する（ステップ６５）。
【００８５】
認証に失敗した場合、処理は終了する。
【００８６】
一方、認証に成功した場合は、制御部２５は、携帯端末装置１０の制御部１４に対して、充電が開始されたことを通知する（ステップ６６）。
【００８７】
携帯端末装置１０の制御部１４は、充電器２０の制御部２５から充電開始の通知を受けると、データのバックアップをするのか、リストアをするのかの判断を使用者に確認するために、表示部１５に選択画面を表示する。そして、データのバックアップが入力部１６にて選択されると（ステップ６７）、制御部１４は、記憶部１１に記憶されているデータをＩＦ部１３を介して充電器２０へ送信する（ステップ６８）。
【００８８】
充電器２０は、携帯端末装置１０から送信されてきたデータをＩＦ部２４を介して受信し、充電器２０の記憶部２３が、ＩＦ部２４を介して受信されたデータを記憶する。（ステップ６９）。
【００８９】
充電器２０の制御部２５は、携帯端末装置１０の記憶部１１に記憶されていたデータが記憶部２３に記憶されたことを検知すると（ステップ７０）、コンピュータ装置５０の制御部５２に対して、充電器２０から携帯端末装置１０のバックアップデータを送信する旨を通知し、記憶部２３に記憶された携帯端末装置１０のバックアップデータをＰＬＣ／ＩＦ部２６に送信する（ステップ７１）。
【００９０】
充電器２０のＰＬＣ／ＩＦ部２６は、記憶部２３から送信されてきた携帯端末装置１０のバックアップデータを変調し、その変調された電気信号を電力搬送に使われている電気信号に重畳する（ステップ７２）。そして、電源ケーブル６０，６４、コンセント６１，６３、電力線６２及び分電盤６５を介してその重畳された電気信号が、ＰＬＣアダプタ４０に送信される。（ステップ７３）。
【００９１】
ＰＬＣアダプタ４０のＰＬＣ／ＩＦ部４１は、充電器２０から送信されてきた携帯端末装置１０のバックアップデータを含んでいる重畳された電気信号から、携帯端末装置１０のバックアップデータ部分のみを取り出し、復調する（ステップ７４）。復調されたデータは、ＰＣ／ＩＦ部４３を介してコンピュータ装置５０へ送信される（ステップ７５）。
【００９２】
コンピュータ装置５０は、ＰＬＣアダプタ４０から送信されてきたデータをＰＣ／ＩＦ部５３を介して受信し、コンピュータ装置５０の記憶部５１が、ＰＣ／ＩＦ部５３を介して受信された携帯端末装置１０のバックアップデータを記憶する（ステップ７６）。
【００９３】
次に、コンピュータ装置５０に記憶された携帯端末装置１０のバックアップデータを、使用者の認証を行った上で携帯端末装置１０にリストアする場合の動作について説明する。
【００９４】
図７は、図１及び図２に示したデータバックアップシステムにおけるデータバックアップ方法において、バックアップされたデータを携帯端末装置１０へリストアする例を説明するためのフローチャートである。
【００９５】
充電器２０の充電回路部２２は、携帯端末装置１０が充電器２０に接続されたことを検知すると（ステップ８１）、携帯端末装置１０の充電を開始する（ステップ８２）。
【００９６】
充電回路部２２は、携帯端末装置１０への充電開始とともに、制御部２５に対して、充電を開始したことを通知する。
【００９７】
制御部２５は、充電回路部２２から充電開始の通知を受けると、使用者の認証を行うために、携帯端末装置１０の制御部１４に対して、認証コードの送信を要求する（ステップ８３）。そして、個人を識別ために予め決められた情報が、使用者によって携帯端末装置１０に入力部１６を介して入力されると（ステップ８４）、その情報に基づいて認証コードが生成され、ＩＦ部１３を介して充電器２０に送信される。充電器２０の制御部２５は、予め記憶部２３に記憶してある使用者の認証コードと、ＩＦ部１３を介して送信されてきた認証コードとを比較して正規の使用者かどうか判定する（ステップ８５）。
【００９８】
認証に失敗した場合、処理は終了する。
【００９９】
一方、認証に成功した場合は、制御部２５は、携帯端末装置１０の制御部１４に対して、充電が開始されたことを通知する（ステップ８６）。
【０１００】
携帯端末装置１０の制御部１４は、充電器２０の制御部２５から充電開始通知を受けると、データのバックアップをするのか、リストアをするのかの判断を使用者に確認するために、表示部１５に選択画面を表示する。そして、データのリストアが入力部１６にて選択されると（ステップ８７）、制御部１４は、データのリストアが選択されたことを、充電器２０の制御部２５に通知する。
【０１０１】
通知を受けた制御部２５は、コンピュータ装置５０の制御部５２に対して、コンピュータ装置５０の記憶部５１に記憶されている携帯端末装置１０のバックアップデータを充電器２０の記憶部２３へ送信するよう通知する（ステップ８８）。
【０１０２】
コンピュータ装置５０の制御部５２は、充電器２０の制御部２５からデータ送信要求通知を受けると、記憶部５１に記憶されているデータをＰＣ／ＩＦ部５３を介してＰＬＣアダプタ４０へ送信する（ステップ８９）。
【０１０３】
ＰＬＣアダプタ４０のＰＬＣ／ＩＦ部４１は、送信されてきた携帯端末装置１０のバックアップデータを変調し、その変調された電気信号を電力搬送に使われている電気信号に重畳する（ステップ９０）。そして、電源ケーブル６０，６４、コンセント６１，６３、電力線６２及び分電盤６５を介してその重畳された電気信号が充電器２０に送信される。（ステップ９１）。
【０１０４】
充電器２０のＰＬＣ／ＩＦ部２６は、送信されてきた携帯端末装置１０のバックアップデータを含んでいる重畳された電気信号から、携帯端末装置１０のバックアップデータ部分のみを取り出し、復調する（ステップ９２）。復調されたデータは、記憶部２３へ送信され（ステップ９３）、携帯端末装置１０のバックアップデータが記憶部２３に記憶される（ステップ９４）。
【０１０５】
充電器２０の制御部２５は、携帯端末装置１０のバックアップデータが、記憶部２３に記憶されたことを検知すると、携帯端末装置１０の制御部１４に対して、記憶部２３に記憶されている携帯端末装置１０のバックアップデータのリストアをする旨を通知し（ステップ９５）、記憶部２３に記憶された携帯端末装置１０のバックアップデータを、ＩＦ部２４を介して携帯端末装置１０に送信する（ステップ９６）。
【０１０６】
携帯端末装置１０は、充電器２０から送信されてきたデータをＩＦ部１３を介して受信し、携帯端末装置１０の記憶部１１が、ＩＦ部１３を介して受信された携帯端末装置１０のバックアップデータを記憶する。（ステップ９７）。
【０１０７】
なお、本発明は、データの記憶手段を有した携帯端末装置、例えば携帯電話機、ＰＨＳ、携帯型コンピュータ装置、携帯型音響装置或いは携帯型映像装置等に適用できる。
【０１０８】
また、バックアップは、毎回全データを一括して転送する形態をとってもよいが、前回のバックアップ時以降に追加された、または更新されたデータのみバックアップすることも可能である。
【０１０９】
また、本形態では、携帯端末装置１０に記憶されたデータをコンピュータ装置５０にバックアップする際、携帯端末装置１０のバックアップデータを記憶した充電器２０の記憶部２３からコンピュータ装置５０へ転送する例を示して説明したが、携帯端末装置１０のバックアップデータを記憶した外部記憶媒体３０の記憶部３１から、コンピュータ装置５０へ転送することも可能である。
【０１１０】
また、本形態では、携帯端末装置１０に携帯端末装置１０のバックアップデータをリストアする際に、コンピュータ装置５０の記憶部５１にバックアップされているデータからリストアする例を示して説明したが、使用者がリストア元を指定することにより、充電器２０の記憶部２３または、外部記憶媒体３０の記憶部３１に記憶された携帯端末装置１０のバックアップデータを携帯端末装置１０にリストアすることも可能である。
【図面の簡単な説明】
【０１１１】
【図１】本発明のデータバックアップシステムの一形態を示し、それぞれの装置の構成を示すブロック図である。
【図２】図１に示したデータバックアップシステムにおける電力線による通信の概略を示す図である。
【図３】図１及び図２に示したデータバックアップシステムにおけるデータバックアップ方法の一例である、携帯端末装置に記憶されたデータを、充電器及びコンピュータ装置にバックアップする場合の動作を説明するためのフローチャートである。
【図４】図１及び図２に示したデータバックアップシステムにおけるデータバックアップ方法の他の例である、携帯端末装置に記憶されたデータを、充電器、外部記憶媒体及びコンピュータ装置にバックアップする場合の動作を説明するためのフローチャートである。
【図５】図１及び図２に示したデータバックアップシステムにおけるデータバックアップ方法の他の例である、携帯端末装置に記憶されたデータを、充電器にバックアップした後、携帯端末装置と充電器の接続が解除された際に、コンピュータ装置に携帯端末装置に記憶されたデータをバックアップする場合の動作を説明するためのフローチャートである。
【図６】図１及び図２に示したデータバックアップシステムにおけるデータバックアップ方法の他の例である、携帯端末装置に記憶されたデータを、使用者の認証を行った上で、充電器及びコンピュータ装置にバックアップする場合の動作を説明するためのフローチャートである。
【図７】図１及び図２に示したデータバックアップシステムにおけるデータバックアップ方法の他の例である、コンピュータ装置に記憶された携帯端末装置のバックアップデータを、使用者の認証を行った上で携帯端末装置にリストアする場合の動作を説明するためのフローチャートである。
【符号の説明】
【０１１２】
１０    携帯端末装置
１１，２３，３１，５１    記憶部
１２    蓄電池部
１３，２４    ＩＦ部
１４，２５，５２    制御部
１５    表示部
１６    入力部
２０    充電器
２１，４２    ＡＣ／ＤＣ電源部
２２    充電回路部
２６，４１    ＰＬＣ／ＩＦ部
３０    外部記憶媒体
４０    ＰＬＣアダプタ
４３，５３    ＰＣ／ＩＦ部
５０    コンピュータ装置
６０，６４    電源ケーブル
６１，６３    コンセント
６２    電力線
６５    分電盤
【図１】
0005541476.tif 000002
【図２】
0005541476.tif 000003
【図３】
0005541476.tif 000004
【図４】
0005541476.tif 000005
【図５】
0005541476.tif 000006
【図６】
0005541476.tif 000007
【図７】
0005541476.tif 000008